(57)【要約】【課題】  携帯や収納が容易で、且つ車両内での使用を可能にすると共に、少ない電力で２〜３分の短時間に容器内の水を４０〜５０℃の温度に加熱することができる携帯用簡易湯沸し器を提供すること。【解決手段】  本発明は、断熱層７と加熱層９を有する容器本体２からなる携帯用簡易湯沸し器１であって、前記加熱層９内に、ポリエステルフィルムの上面にニッケルインヂウム酸化化合物を添加した塗料を塗布した面にポリエステルフィルムを積層被覆し、両端に電極を圧着接合し電極部に電源を接続して形成される発熱体２０を収容させたことを特徴とする。また前記発熱体２０を加熱層９内に螺旋状に配設した。さらに前記発熱体２０は、車両のバッテリー電源を供給源とする。【選択図】図１
2008168098.tif 000002
【特許請求の範囲】
【請求項１】
断熱層と加熱層を有する容器本体からなる携帯用簡易湯沸し器であって、前記加熱層内に、ポリエステルフィルムの上面にニッケルインヂウム酸化化合物を添加した塗料を塗布した面にポリエステルフィルムを積層被覆し、両端に電極を圧着接合し電極部に電源を接続して形成される発熱体を収容させたことを特徴とする携帯用簡易湯沸し器。
【請求項２】
前記発熱体を加熱層内に螺旋状に配設した請求項１記載の携帯用簡易湯沸し器。
【請求項３】
前記発熱体は、車両のバッテリー電源を供給源とする請求項１または２記載の携帯用簡易湯沸し器。
【発明の詳細な説明】
【技術分野】
【０００１】  本発明は、携帯が容易で自動車の車内での使用を可能とし、且つ２〜３分の短時間で４０〜５０℃の温度に加熱することができる携帯用簡易湯沸し器に関する。
【背景技術】
【０００２】  通常、飲料用の湯を沸かす器具として電気ポットが使用されている。一般的な電気ポットは、家庭用電源からコンセントを使用して電源を取り入れ、電熱線を発熱させて容器内の水を加熱保温する。【０００３】  また従来、暖かい地方、寒い地方等の環境雰囲気の変化にかかわりなく、容器内の液体の希望した飲み頃の温度を調整できる湯沸しポットがある（例えば、特許文献１参照）。
上掲特許文献の湯沸しポットは、内部中空な台座本体を設け、この台座本体の上端中央に開口を設け、この開口を覆いかつ熱源を備えた放熱板を設け、液体収納の容器を放熱板上に着脱自在に装着し、台座本体内に容器内の液体温度の変化によって熱源をＯＮ、ＯＦＦするための温度調節器を設け、温度調節器の調整レバーにて温度調整を行う湯沸しポットであって、上記調整レバーは調整レバーの移動調整範囲が湯沸しポットを載置した環境雰囲気中の温度を加味した状態で、容器内の液体温度の温度調整を行うことを特徴としている。
【特許文献１】実用新案登録第３０１１５１７号公報
【発明の開示】
【発明が解決しようとする課題】
【０００４】  しかしながら上掲特許文献１の湯沸しポットは、容器内の液体の希望した飲み頃の温度を調整するために、内部中空な台座本体や放熱板、温度調節器等の多くの器具が必要となりコスト高に繋がると共に、全体形状が大きくなり携帯や収納が困難になるという問題があった。また、家庭用電源からコンセントを使用して電源を取り入れるため、屋外や車両内での使用ができないという欠点もあった。【０００５】  そこで本発明は上記の点に鑑み、携帯や収納が容易で、且つ車両内での使用を可能にすると共に、少ない電力で２〜３分の短時間に容器内の水を４０〜５０℃の温度に加熱することができる携帯用簡易湯沸し器を提供することにある。
【課題を解決するための手段】
【０００６】  上記課題を解決するために、本発明の携帯用簡易湯沸し器は、断熱層と加熱層を有する容器本体からなる携帯用簡易湯沸し器であって、前記加熱層内に、ポリエステルフィルムの上面にニッケルインヂウム酸化化合物を添加した塗料を塗布した面にポリエステルフィルムを積層被覆し、両端に電極を圧着接合し電極部に電源を接続して形成される発熱体を収容させたことを特徴とする。また前記発熱体を加熱層内に螺旋状に配設した。さらに前記発熱体は、車両のバッテリー電源を供給源とする。
【発明の効果】
【０００７】  加熱層内に、ポリエステルフィルムの上面にニッケルインヂウム酸化化合物を添加した塗料を塗布した面にポリエステルフィルムを積層被覆し、両端に電極を圧着接合し電極部に電源を接続して形成される発熱体を収容させたことにより、少ない電力で２〜３分の短時間に容器内の水を４０〜５０℃の温度に加熱することができる。【０００８】  また前記発熱体を加熱層内に螺旋状に配設したことで、加熱層内への発熱体の接触面積が多くなり、加熱効率を一層高めることができる。【０００９】  さらに、前記発熱体は車両のバッテリー電源を供給源とすることで、車両内でコーヒーやお茶、またカップ麺や乳児用のミルクを手軽に作ることができる。
【発明を実施するための最良の手段】
【００１０】  以下、本発明における携帯用簡易湯沸し器の実施の形態を説明する。
本発明の携帯用簡易湯沸し器は、携帯や収納が容易で、且つ車両内での使用を可能にすると共に、少ない電力で２〜３分の短時間に容器内の水を４０〜５０℃の温度に加熱することを特徴とする。
【００１１】  図１に示す携帯用簡易湯沸し器１は円筒形状を呈しており、断熱層７と加熱層９を有する容器本体２と、容器本体２の上部に着脱自在に装着された内蓋５および蓋体６とで構成されている。また断熱層７と加熱層９とは外枠３と内壁部４との間に備えられている。さらに外枠３には、温度調節やタイマー、またスイッチ等を備えた調整器１０を具備してもよい。
【００１２】  前記断熱層７は、加熱層９にて加熱された容器内の湯を保温するもので、内部には発泡スチロール等の断熱材８が収容されている。なお、前記断熱層７の内部を真空状態とすることで、より高い保温性を実現することもできる。
【００１３】  前記加熱層９内には発熱体２０が収容されている。発熱体２０は、図３に示すように、ポリエステルフィルム基台２１の上面に、ニッケルインヂウム酸化化合物を添加した塗料２２をスプレー塗布し、熱硬化処理を行い、その上面にポリエステルフィルム２３を積層被覆して絶縁性を図る。この時の発熱膜は７μｍ〜５０μｍの厚さで、温度帯により膜厚を変化させる。
【００１４】  また両端に電極端子２４を圧着固定し、電源・電線２６を接続し、絶縁テープ２７で接着固定させ電極部２５を構成し、ニッケルインヂウム酸化化合物の特性により抵抗発熱させることを特徴としている。なおこの発熱体２０は、特開２００４−３１６３７７号（米国特許第７０６０９５０号）公報に開示されている周知の技術である。
【００１５】  前記発熱体２０をコード状に形成し、前記加熱層９内に収容させたことにより、容器本体２内の水を少ない電力で２〜３分の短時間に４０〜５０℃の温度に加熱することができる。
【００１６】  また他の好適例として、図２に示すように、前記発熱体２０を加熱層９内に螺旋状に配設することが望ましい。前記発熱体２０を螺旋状に配設することにより、加熱層９内への発熱体２０の接触面積が多くなり、加熱効率を一層高めることができる。
【００１７】  また他の好適例として、前記発熱体２０を発熱させる電源として車両のバッテリー電源を供給源とする。この際に使用されるＤＣ１２Ｖ電源コード１１は、適宜長さを有するコード１２と、コード１２の一端に装着された係合部１３と、他端に装着された接続プラグ１４とで構成されている。なお、トラックやバス等の大型車両においては、ＤＣ２４Ｖ電源コードを使用することが望ましい。
【００１８】  前記電源コード１１を使用する場合、係合部１３を車両に備えられているシガレットライター端子に係合し、接続プラグ１４を容器本体２の接続部１５に装着させる。この際、調整器１０にて温度調節や保温時間を適宜設定してもよい。そのことにより、車両内でコーヒーやお茶、またカップ麺や乳児用のミルク等を手軽に作ることができる。
【図面の簡単な説明】
【００１９】
【図１】本発明の携帯用簡易湯沸し器の断面図である。
【図２】前記携帯用簡易湯沸し器の斜視図である。
【図３】発熱体の詳細を示す。
【符号の説明】
【００２０】１    携帯用簡易湯沸し器
２    容器本体
３    外枠
４    内壁部
５    内蓋
６    蓋体
７    断熱層
８    断熱材
９    加熱層
１０  調整器
１１  ＤＣ１２Ｖ電源コード
１２  コード
１３  係合部
１４  接続プラグ
１５  接続部
２０  発熱体
２１  ポリエステルフィルム基台
２２  塗料
２３  ポリエステルフィルム
２４  電極端子
２５  電極部
２６  電源・電線
２７  絶縁テープ
【図１】
2008168098.tif 000003
【図２】
2008168098.tif 000004
【図３】
2008168098.tif 000005